(57)【要約】【課題】  外部接続装置等を装着することなく、携帯電話機に、入力された電話番号に予め設定された番号を付加したダイヤル発信を行わせる。【解決手段】  メモリ内に予め記憶されたプログラムに従い、所定のダイヤル発信制御を行う制御装置を備えた市販の携帯電話機において、更に前記メモリに、所定のプリセット番号と、所定のプログラムを書き込む。  この書き込みにより、携帯電話機のキー操作による電話番号と、発信指令の入力により、入力された電話番号の種別を判定する判定手段と、前記電話番号の前に前記プリセット番号を付加した合成番号を作成する番号作成手段とを前記制御装置において、前記判定手段により入力された電話番号の判定を行わせ、前記電話番号を所定の種別と判定したとき、前記番号作成手段による前記合成番号の作成を行わせると共に、該作成された合成番号を、前記入力乃至は選択された着信側電話番号に代えてダイヤル発信させる。  【選択図】  図３
2006135740.tif 000002
【特許請求の範囲】
【請求項１】
所定のプログラムを記憶したメモリと、該メモリに記憶されたプログラムに従ってダイヤル発信を制御する制御装置を備え、前記制御装置により、キー操作による入力によりメモリ内に記憶された着信側電話番号、又はメモリ内に予め登録された電話番号中より選択された着信側電話番号を、発信指令に基づいて呼び出すと共にダイヤル発信する携帯電話機において、
前記メモリに、更に、所定のプリセット番号を記憶させると共に、前記着信側電話番号に基づいて、該着信側番号の種別を判定する判定手段と、前記着信側電話番号の前に前記プリセット番号を付加した合成番号を作成する番号作成手段とを前記制御装置に実現させるプログラムを記憶させ、
前記着信側電話番号の入力乃至は選択と、前記発信指令の入力があったとき、前記制御装置に前記判定手段による前記着信側電話番号の判定を行わせ、該判定手段が前記着信側電話番号を所定の種別と判定したとき、前記番号作成手段による前記合成番号の作成を行わせると共に、該作成された合成番号を、前記入力乃至は選択された着信側電話番号に代えてダイヤル発信させることを特徴とする携帯電話機におけるダイヤル発信制御方法。
【請求項２】
前記判定手段が判定可能な着信側電話番号の種別を複数設定すると共に、前記判定手段により判定可能な着信側電話番号の種別にそれぞれ対応したプリセット番号を複数、前記メモリに記憶させ、
前記番号作成手段に、前記判定手段により判定された着信側電話番号の種別に対応したプリセット番号を、前記着信側電話番号に付加させて前記合成番号を作成させることを特徴とする請求項１記載の携帯電話機におけるダイヤル発信制御方法。
【請求項３】
所定のプログラムを記憶したメモリと、該メモリに記憶されたプログラムに従ってダイヤル発信を制御する制御装置を備え、前記制御装置により、キー操作による入力によりメモリ内に記憶された着信側電話番号、又はメモリ内に予め登録された電話番号中より選択された着信側電話番号を、発信指令に基づいて呼び出すと共にダイヤル発信する携帯電話機において、
前記携帯電話機のメモリに記憶させることにより、前記着信側番号に基づいて該着信側電話番号の種別を判定する判定手段と、前記着信側電話番号の前に所定のプリセット番号を付加した合成番号を作成する番号作成手段とを前記制御装置に実現させると共に、
前記着信側電話番号の入力乃至は選択と、前記発信指令の入力があったとき、前記制御装置に前記判定手段による前記着信側電話番号の判定を行わせ、該判定手段が前記着信側電話番号を所定の種別と判定したとき、前記番号作成手段による前記合成番号の作成を行わせると共に、該作成された合成番号を、前記入力乃至は選択された着信側電話番号に代えてダイヤル発信させる携帯電話機におけるダイヤル発信制御プログラム。
【請求項４】
前記判定手段で判定可能な着信側電話番号の種別が複数設定されていると共に、
前記番号作成手段に、前記判定手段が判定可能な着信側電話番号の種別にそれぞれ対応して設定された複数のプリセット番号の中から前記判定手段が判定した着信側電話番号の種別に対応したプリセット番号を選択させて、前記着信側電話番号に付加させて前記合成番号を作成させることを特徴とする請求項３記載の携帯電話機におけるダイヤル発信制御プログラム。
【請求項５】
所定のプログラムを記憶したメモリと、該メモリに記憶されたプログラムに従ってダイヤル発信を制御する制御装置を備え、前記制御装置により、キー操作による入力によりメモリ内に記憶された着信側電話番号、又はメモリ内に予め登録された電話番号中より選択された着信側電話番号を、発信指令に基づいて呼び出すと共にダイヤル発信する携帯電話機に接続する外部接続装置において、
前記携帯電話機の外部接続端子に接続可能なコネクタと、該コネクタを介して前記携帯電話機のメモリにデータを書き込むデータ書き込み手段と、前記データ書き込み手段により前記携帯電話機のメモリに書き込まれるデータを記憶した記憶手段を備え、
前記記憶手段に記憶されたデータが、
所定のプリセット番号と、
前記メモリに記憶させることにより、前記着信側電話番号に基づいて該着信側電話番号の種別を判定する判定手段と、前記着信側電話番号の前に前記プリセット番号を付加した合成番号を作成する番号作成手段とを前記制御装置に実現させるプログラムであって、前記着信側電話番号の入力乃至は選択と、前記発信指令の入力があったとき、前記制御装置に前記判定手段による前記着信側電話番号の判定を行わせ、該判定手段が前記着信側電話番号を所定の種別と判定したとき、前記番号作成手段による前記合成番号の作成を行わせると共に、該作成された合成番号を、前記入力乃至は選択された着信側電話番号に代えてダイヤル発信させるプログラムを含むことを特徴とする携帯電話機用外部接続装置。
【請求項６】
前記記憶手段に記憶されたプログラムにおいて、前記判定手段が判定可能な着信側電話番号の種別が複数設定されていると共に、前記番号作成手段が、前記判定手段が判定可能な着信側電話番号の種別にそれぞれ対応して設定された複数のプリセット番号の中から前記判定手段が判定した着信側電話番号の種別に対応したプリセット番号を選択して、前記着信側電話番号に付加させて前記合成番号を作成可能であると共に、
前記判定手段が判定可能な着信側電話番号の種別にそれぞれ対応した複数の前記プリセット番号が前記記憶手段に記憶されていることを特徴とする請求項５記載の携帯電話機用外部接続装置。
【請求項７】
請求項３又は４に記載のプログラムと、前記プリセット番号とをメモリに記憶した携帯電話機。
【発明の詳細な説明】
【技術分野】
【０００１】
本発明は、携帯電話機のダイヤル発信制御方法、該方法を実現するためのプログラム、並びに前記プログラムを記憶した携帯電話機用外部接続装置及び携帯電話機に関し、より詳細には、キー操作により入力された着信側電話番号、又は、携帯電話機のメモリ内に予め記憶された電話番号より選択された着信側電話番号に対する発信を行う際に、前記着信側電話番号の前に予め設定された番号（本発明において「プリセット番号」という。）を付加してダイヤル発信を行わせる携帯電話機のダイヤル発信制御方法及び前記方法を実現するためのプログラム、並びに前記プログラムを記憶した携帯電話機用外部接続装置及び携帯電話機に関する。
【背景技術】
【０００２】
携帯電話機の普及に伴い、携帯電話機において利用可能な通信サービスも多様化しており、例えば公衆電話網と専用線との接続による複合網等を利用した、より付加価値の高い各種電気通信サービスの提供、その他各種の通信サービスの提供が行われている。
【０００３】
一例として、携帯電話機より直接国際電話をかけることを可能としたサービスや、携帯電話機を第二種通信事業者の設置した電話交換機等を経由して着信側の電話機との接続を行うことにより、着信側電話機に発信側の携帯電話機の電話番号や発信位置情報等が記録乃至は知得されることを防止したり、又は、比較的通信料金の安価な通信線を介して着信側電話機と接続することにより、通信費用を安価に抑えることができるようにした通信網乃至は複合網等による通信サービスも提供されている。
【０００４】
このような通信サービスの提供を受けるためには、「通信センター」、「コールセンター」、「アクセスポイント」等と呼ばれる、第二種通信事業者等が設置した前述の電話交換機を経由して着信側電話機との接続を行う必要があり、このような電話交換機を経由した接続を行うために、利用者には、一旦、携帯電話機から電話交換機に付与された番号（例えば、「００」で始まる４桁の番号、その他の電話番号）をダイヤルして、前述の電話交換機との間に接続が確保された後、着信側の電話番号を入力・送出する操作が要求されたり、または、着信側電話番号の前に、前述の電話交換機に付与された番号を付加してダイヤルすることが要求されており、その作業が繁雑となっている。
【０００５】
このように、例えば第二種通信事業者が提供する通信サービスの提供を受けるためには、単に着信側電話番号を入力する場合に比較してより多くの番号をダイヤルすることが必要となる。
【０００６】
なお、携帯電話機のダイヤル発信を制御して所定のダイヤル操作を行わせる外部接続装置として、所謂「アタッチメント」と呼ばれるものがある。
【０００７】
このアタッチメントは、ボタン電池等の電源と、フラッシュメモリ等のＲＯＭと、前記携帯電話機の接続端子に接続可能なコネクタを備えた構成で、これを携帯電話機の外部接続端子（通常、携帯電話機のバッテリーを充填する際に、充電器のコネクタを接続する部分に設けられている。）に接続すると、この外部接続端子を介して携帯電話機に制御信号を出力して携帯電話機を「オンフック」の状態と成すと共に、ＲＯＭ内に予め記憶された電話番号を送出して、前記携帯電話機に該番号のダイヤル発信を自動で行わせるプログラムが記憶されている。
【０００８】
そして、このようなアタッチメントの機能に着目し、アタッチメントのＲＯＭに予め前述の電話交換機に付与された番号を記憶しておくことで、アタッチメントを携帯電話機に接続すると、アタッチメントが前記電話交換機に付与された番号に対する発信を自動で行い、発信側携帯電話機と電話交換機間の接続を確立するようにしたダイヤル発信方法も提案されている（非特許文献１，非特許文献２参照）。
【０００９】
なお、一例として、後掲の非特許文献１にあっては、該通信サービスの提供者が設置した電話交換機を経由して着信側電話機に対する発信を行うことにより、発信側携帯電話機の電話番号や、位置情報に代えてこの電話交換機の電話番号や位置情報が着信側電話機に通知されることにより、発信者の電話番号や位置情報を秘匿可能とした通信サービスが開示されており、また、非特許文献２にあっては、該通信サービスの提供者が設置した電話交換機を経由することにより、該電話交換機に接続されたＩＰ電話回線を介して安価な国際電話を可能としたサービスが開示されている。
【００１０】
この発明の先行技術文献情報としては次のものがある。
【非特許文献１】「覆面コール」(http://www.suimu.com/prepaid/fukumen/index.html)
【非特許文献２】「携帯用ダイヤラー Pocketline」(http://www.kinmirai.net/pocketline/pocketline.html)
【発明の開示】
【発明が解決しようとする課題】
【００１１】
前述のように、電話交換機に付与された番号を記憶したアタッチメントを使用することで、このアタッチメントを携帯電話機の外部接続端子に接続するだけで、携帯電話機はアタッチメントに記憶された番号に自動発信するので、前述のような通信サービスの利用者は、操作キーなどを操作して電話交換機に付与された番号を入力したり、携帯電話機に設けられた「アドレス帳」等に電話番号を登録する際に、登録する番号の頭に前述の電話交換機等に付与された番号を付加して登録することなく、電話交換機との間の接続を確立させることができる。
【００１２】
そのため、利用者は、このような接続が確立した後に、携帯電話機のキー操作等により着信側の電話番号を入力したり、あらかじめ携帯電話に登録されている着信側電話番号を呼び出して送出するだけで、前記通信サービスを利用して着信側電話機に対する呼び出しが可能となる。
【００１３】
ところで、前述のような電話交換機を経由した通話を行う場合、発信側の携帯電話機と、着信側電話機との間における通話料金は、発信側携帯電話機から電話交換機までの通話料金と、この電話交換機から着信側電話機までの通話料金との合計となる。
【００１４】
そして、発信側携帯電話機と電話交換機間の通話料金は、電話交換機と着信側電話機間の接続が行われているか否かに拘わらず、発信側携帯電話機と電話交換機間の接続が確立した時点より発生する。
【００１５】
そのため、前述のアタッチメントを携帯電話機に装着することにより、携帯電話機が電話交換機に対する発信を直ちに行う場合、利用者の目的が着信側電話機との間での通話であるにも拘わらず、着信側電話機との間の接続が確立する前、例えば利用者が着信側電話機の電話番号を入力している間にも通話料金のカウントが開始される。
【００１６】
また、例えば利用者が着信側電話機の電話番号の入力作業を行わず、又はこのような入力作業を途中で中止して、着信側電話機の呼び出しを行わないこととした場合であっても、発信側携帯電話機と電話交換器間の接続から作業を中止する迄の間に発生した、発信側携帯電話機と電話交換器間の通話料金が発生することとなり、この通話料金を直接又は間接的に利用者が負担することとなる。
【００１７】
更に、前述のアタッチメントは携帯電話機に対する接続を検知すると、直ちに携帯電話機に、記憶している番号に対するダイヤルを指令する信号の出力を開始するが、前述のアタッチメントは、携帯電話機との間の電気的な接続を検知すれば信号の出力を開始するために、携帯電話機の接続端子に対してコネクタが完全に装着されていない、電気的な接続が不安定な状態であっても制御信号の出力を開始してしまう場合がある。
【００１８】
そのため、コネクタに外部接続端子が完全に挿入される迄の間に、両者の接続が絶たれる場合があり、アタッチメントから携帯電話機に対して入力された信号が、不完全なものとなる場合もある。
【００１９】
このように、携帯電話機に対して入力される信号が不完全である場合には、携帯電話機がダイヤル動作を開始しなかったり、又は、一部脱落した信号に従って不完全なダイヤル発信を行う等して、電話交換機との接続を行うことができない場合があり、その結果、着信側電話機を呼び出すことができない場合がある。
【００２０】
また、前述のように所定のダイヤルの入力を省略しようとする場合には、利用者は携帯電話機のみならず、前述のアタッチメント等の外部接続装置を共に携帯する必要があり煩雑であると共に、このような外部接続装置は小型であり破損、紛失等し易く、このような外部接続装置の破損、紛失、バッテリーの消耗等により外部接続装置の機能が損なわれた場合には、前述のように入力を省略したダイヤル発信を行うことができない。
【００２１】
そこで、本発明の目的は、上記従来技術における欠点を解消するためになされたものであり、ダイヤル発信時において前述のアタッチメント等の外部接続装置の装着を行うことなく、着信側電話番号を入力してダイヤル発信を指令することにより、前述の電話交換機に付与された番号等のプリセット番号が付加された着信側電話番号をダイヤル発信することができると共に、例えば第二種通信事業者等が設置した電話交換機等を経由した通信を行う際に、着信側電話機の電話番号の入力中や、入力を止めて作業を終了した場合等において通話料金が発生することを防止することができ、更に不完全呼びが発生することを有効に防止することのできる携帯電話機の発信制御方法及び前記方法を実現するプログラム並びに前記プログラムを記憶した外部接続器を提供することを目的とする。
【課題を解決するための手段】
【００２２】
上記目的を達成するために、本発明の携帯電話機３０のダイヤル発信制御方法は、所定のプログラムを記憶したメモリ３１ａと、該メモリ３１ａに記憶されたプログラムに従ってダイヤル発信を制御する制御装置３１を備え、前記制御装置３１により、キー操作による入力によりメモリ３１ａ内に記憶された着信側電話番号、又はメモリ３１ａ内に予め登録された電話番号中より選択された着信側電話番号を、発信指令に基づいて呼び出すと共にダイヤル発信する携帯電話機３０において、
前記メモリ３１ａに、更に、所定のプリセット番号を記憶させると共に、前記着信側電話番号に基づいて該着信側番号の種別を判定する判定手段３１２と、前記着信側電話番号の前に前記プリセット番号を付加した合成番号を作成する番号作成手段３１３とを前記制御装置３１に実現させるプログラムとを記憶させ、
前記着信側電話番号の入力乃至は選択と、前記発信指令の入力により、前記制御装置３１に前記判定手段３１２による前記着信側電話番号の判定を行わせ、該判定手段３１２が前記着信側電話番号を所定の種別と判定したとき、前記番号作成手段３１３による前記合成番号の作成を行わせると共に、該作成された合成番号を、前記入力乃至は選択された着信側電話番号に代えてダイヤル発信させることを特徴とする（請求項１）。
【００２３】
前述の携帯電話機のダイヤル発信制御方法において、前記判定手段３１２が判定可能な着信側電話番号の種別を複数設定すると共に、前記判定手段３１２により判定可能な着信側電話番号の種別にそれぞれ対応したプリセット番号を複数、前記メモリ３１ａに記憶させ、
前記番号作成手段３１３に、前記判定手段３１２により判定された着信側電話番号の種別に対応したプリセット番号を、前記着信側電話番号に付加させて前記合成番号を作成させることを特徴とする（請求項２）。
【００２４】
また、本発明の携帯電話機におけるダイヤル発信制御プログラムは、これを携帯電話機３０のメモリ３１ａに記憶させることにより、この携帯電話機３０の前記制御装置３１に、前述したダイヤル発信制御を行わせるものである。
【００２５】
さらに、本発明の携帯電話機用の外部接続装置１０は、携帯電話機３０の外部接続端子３３に接続可能なコネクタ１２と、該コネクタ１２を介して前記携帯電話機３０のメモリ３１ａにデータを書き込むデータ書き込み手段１３と、前記データ書き込み手段１３により前記携帯電話機のメモリに書き込まれるデータを記憶した記憶手段１１を備え、前記記憶手段に所定のプリセット番号と、前述の本発明のダイヤル発信制御プログラムとを書き込み用のデータとして記憶していることを特徴とする。
【００２６】
さらに、本発明の携帯電話機３０は、前述のダイヤル発信制御プログラムと、前記プリセット番号とをメモリ３１ａに記憶した構成を備えている。
【発明の効果】
【００２７】
上記本発明の構成によれば、例えば第二種通信事業者が提供する通信サービスの提供を受ける際に、該第二種通信事業者が設置した電話交換機等に付与された番号を、利用者が入力することなく自動で発信することができるため、該通信サービス等の提供を受ける利用者に煩雑な番号入力等の負担を課すことがない。
【００２８】
また、着信側電話番号の入力等が完了した後に、この着信側電話番号に予め携帯電話機のメモリ内に記憶されたプリセット番号を付加したダイヤル発信を携帯電話機に行わせることで、着信側電話番号の入力中には、携帯電話機は如何なるダイヤル発信も行っておらず、着信側電話番号の入力中や、着信側電話番号の入力を途中で中止して最終的に着信側電話機の呼び出しを行わない場合には、このような携帯電話機の操作により何等の通話料金も発生しない。
【００２９】
さらに、前述のようなダイヤル発信を行う際に、携帯電話機に対して外部接続装置等を取り付けることが不要であるために、前述したアタッチメント等の装着による発信の際に生じる携帯電話機の誤作動や不完全呼び等が発生することを確実に防止することができる。
【００３０】
加えて、ダイヤル発信に際して外部接続装置を接続する必要がないことから、利用者はこのような外部接続装置を携帯しなければならない煩雑さから開放されると共に、外部接続装置の破損、紛失等の問題が生じることもない。
【発明を実施するための最良の形態】
【００３１】
次に、本発明の実施形態を添付図面を参照しながら以下説明する。
【００３２】
本発明のダイヤル発信制御は、市販の携帯電話機３０に外部接続装置等を装着することにより、該携帯電話機３０のメモリ３１ａに所定のプログラムを記憶させることで、本願における所望のダイヤル制御を可能とするもので、一例として下記のように構成された携帯電話機を対象とする。
【００３３】
〔携帯電話機〕
携帯電話機は、一般的に図１及び図２に示すように、電話番号をダイヤルするための数字、♯、＊等に対応したプッシュキー３４、携帯電話機をオンフック、オフフック状態に切り替えるための発信キー３５及び切断キー３６、その他、携帯電話機に設けられた各種機能に応じて設けられている操作キー、通話を行うためのマイクロフォン３７ａ及びスピーカー３８ａが取り付けられた送話口３７及び受話口３８、発信電話番号や着信電話番号、前記プッシュキー３４により入力した電話番号の表示、その他、該携帯電話機３０に設けられた各種の機能に基づいた表示が行われるディスプレイ３９、外部機器との接続を可能とする外部接続端子３３、アンテナ、着信時に点滅するＬＥＤ、着信音を出力するスピーカー（図示省略）、その他の必要な構成を備えている。
【００３４】
そして、前述の操作キー３４，３５，３６等、マイクロフォン３７ａ及びスピーカー３８ａ、ディスプレイ３９、アンテナ、ＬＥＤ、着信音用スピーカー、外部接続端子３３等は、それぞれこれらの動作を制御するキー入力制御回路３２５、音声入出力制御回路３２４、ディスプレイ制御回路３２６、送受信制御回路３２１、ＬＥＤ制御回路３２７、着信音出力制御回路３２８等に接続されており、これらの各制御回路等が、ＩＣ等の処理装置から成る制御装置３１によって、メモリ３１ａに予め記憶されたプログラムに従い統括的に制御されている。
【００３５】
以上のように構成された携帯電話機３０において行われる通常のダイヤル発信は、プッシュキー３４の操作により電話番号を入力すると、キー入力制御回路３２５により、このキー操作は、操作されたキーに対応した電話番号の信号に変換され、この信号を受信した制御装置３１は、この電話番号をメモリ３１ａ内の所定の領域に記憶する。
【００３６】
その後、例えば発信キー３５の操作等によりダイヤル発信を指令すると、キー入力制御回路３２５からのダイヤル発信指令を受けた制御装置３１は、メモリ３１ａ内に記憶されたプログラムの実行によりダイヤル発信手段３１１を実現し、このダイヤル発信手段３１１がメモリ３１ａに記憶された前述の着信側電話番号を呼び出し、送受信制御回路３２１を介してこの番号に対するダイヤル発信を行う。
【００３７】
なお、前述の発信キー３５の操作は、着信側電話番号を入力する前に操作して、着信側電話番号の入力を、携帯電話機３０をオンフックとした状態で行うこともできる。このように電話番号の入力前に発信キー３５を操作した場合には、制御装置３１は、プッシュキー３４による最新の入力から一定時間、次の入力が行われない場合に、前述のダイヤル発信手段３１１にダイヤル発信を指令し、ダイヤル発信手段３１１が入力された着信側電話番号に対するダイヤル発信を行う。
【００３８】
また、携帯電話機３０が「アドレス帳」等として、予め電話番号を記憶可能である場合、または、「着信履歴」、「発信履歴」として、発信乃至は着信した電話番号をメモリ３１ａ内に記憶している場合には、このようにしてメモリ３１ａ内に記憶されている電話番号を操作キーにより選択乃至は指定して、該番号に対するダイヤルを発信キー３５の操作により指令すると、ダイヤル発信手段３１１が指定された電話番号をメモリ３１ａ内より呼び出すと共に、この番号に対するダイヤル発信を行わせることができ、これによりプッシュキー３４による着信側端末の電話番号の入力を省略することができるように構成されている。
【００３９】
〔外部接続装置〕
以上のように構成された通常の携帯電話機において、キー操作により入力し、又はメモリ３１ａ内に予め記憶した電話番号中より選択された着信側電話番号をそのまま発信させず、この入力乃至は選択された着信側電話番号が予め設定された種別の電話番号である場合に、この着信側電話番号の前に所定のプリセット番号を付加してダイヤル発信を行わせるために、前述のように構成された携帯電話機３０のメモリ３１ａに、前述のプリセット番号を記憶させると共に、携帯電話機３０の制御装置に、前記動作を行わせるプログラムを記憶させる。
【００４０】
このように、携帯電話機３０のメモリ３１ａに対する前述のプリセット番号、及びプログラムの書き込みを、一例として携帯電話機３０の外部接続端子３３に、外部接続装置１０を接続することにより可能としている。
【００４１】
この外部接続装置１０は、一般に「アタッチメント」と呼ばれているものを使用することができ、図１及び図２に示すように携帯電話機３０の外部接続端子３３に接続可能なコネクタ１２と、該コネクタ１２を介して前記携帯電話機の制御装置に接続可能なフラッシュメモリやマスクＲＯＭ、その他の記憶手段、及び図示せざるボタン電池等の電源を備え、前記記憶手段には、携帯電話機のメモリ内に記憶すべきプログラムやプリセット番号等、携帯電話機３０に対する書き込みデータ、及びこのような書き込みデータを携帯電話機３０のメモリ３１ａに書き込む作業を行う、書き込み手段を実現するためのプログラム、その他必要なデータが記憶されている。
【００４２】
そして、図２に示すように携帯電話機３０の外部接続端子３３に対してこの外部接続装置１０のコネクタ１２を接続すると、前記記憶手段１１内に記憶されたプログラムの実行により携帯電話機のメモリ内に記憶された書き込みデータを前記携帯電話機３０のメモリ３１ａに書き込む、前述の書き込み手段１３が実現し、前述の書き込みデータが携帯電話機３０に対して送出されると共に、携帯電話機３０のメモリ３１ａに記憶される。
【００４３】
前述の書き込みデータのうちのプリセット番号は、本実施形態にあっては携帯電話機３０のメモリ３１ａ内に存在する空き領域、例えば「アドレス帳」、「メモ記憶」等として携帯電話機３０のメモリ３１ａ内に開放されている空き領域に記憶させている。
【００４４】
なお、着信側電話番号の種別に対応して、発信時に異なるプリセット番号を付加する設定を行う場合には、各プリセット番号と、各プリセット番号が付加される電話番号の種別とに対応関係を持たせて記憶させておき、入力乃至は選択された着信側電話番号の種別に応じて対応するプリセット番号をメモリより呼び出して着信側電話番号に付加することができるように、前記携帯電話機３０のメモリ３１ａに記憶させる。
【００４５】
なお、携帯電話機のメモリに記憶されたプログラムを変更する外部接続装置の構成は、前述の構成に限定されるものではなく、例えば記憶手段内に前述の各種プログラムを記憶したパーソナルコンピュータ、その他のコンピュータ端末と、該コンピュータ端末の外部接続端子に接続されるコネクタと、前記携帯電話機の外部接続端子に接続されるコネクタとを備えたケーブル等を設け、該パーソナルコンピュータによる操作により、前記携帯電話機のメモリ内に記憶されているプログラムを変更可能としても良く、その他、各種の構成を採用可能である。
【００４６】
〔データ書き込み後の携帯電話機の動作〕
以上のようにして、メモリ３１ａに前述の書き込みデータが書き込まれることにより、書き込まれたプログラムに従って制御動作が変更された携帯電話機３０の制御装置３１において、入力乃至は指定された着信側電話番号の種別を判定する判定手段３１２が実現可能と成ると共に、この判定手段により、入力乃至は指定された着信側電話番号が所定の種別であると判定されたとき、該着信側電話番号の前に、前述のプリセット番号を付加した合成番号を作成する番号作成手段３１３が実現可能となる（図３参照）。
【００４７】
そして、前述のようにしてメモリ３１ａに対するデータの書き込みが行われた携帯電話機３０にあっては、図４及び図５に示すように電話番号入力待ちである待機状態（Ｓ１−１，Ｓ２−１）において、キー操作により着信側電話番号を入力し、又は、携帯電話機のメモリ内に「アドレス帳」、「発信履歴」、「着信履歴」等として記憶されている電話番号の中から、ダイヤルを行う電話番号を着信側電話番号として指定（Ｓ１−２，Ｓ２−２）し、このような入力乃至は選択を行った後に、発信キー３５を押して発信指令を行い、又は、新たにメモリ３１ａ内に書き込まれたプログラムとの関係において予め「発信」を指令するキーとして設定されているその他のキー、例えば「♯」「＊」等のキーを操作して、該番号に対するダイヤル発信を指令すると（Ｓ１−３，Ｓ２−３）、この発信指令を受けた携帯電話機３０の制御装置３１は下記のように動作して、着信側電話番号の前にプリセット番号が付加された前述の合成番号をダイヤル発信する。
【００４８】
（１）動作例１
前述のように待機状態にある携帯電話機を操作して、着信側電話番号の入力又は選択に続き、発信キー３５の操作、その他発信指令を入力する「♯」「＊」等のキー操作により、ダイヤル発信の指令を受けた制御装置３１では、メモリ内に記憶されたプログラムの実行によって、前述の判定手段３１２が実現する。
【００４９】
この判定手段３１２により、入力乃至は選択された着信側電話番号を構成する数字から、この着信側電話番号がプリセット番号を付加してダイヤル発信を行う対象として予め設定されている種別の電話番号に該当するか否かが判定される。
【００５０】
一例として、携帯電話機に対して付与される「０９０」で始まる電話番号をプリセット番号を付加してダイヤル発信を行うべき着信側電話番号の種別として設定する場合には、前述の「判定手段」は、、入力乃至は選択された着信側電話番号の先頭３桁が「０９０」であるか否かに基づいて、該着信側電話番号が設定された種別に該当するか否かを判定する（Ｓ１−４）。
【００５１】
そして、この判断の結果、着信側電話番号の先頭３桁の数字が「０９０」でない場合には、入力乃至は選択された着信側電話番号が、そのままダイヤル発信手段によりダイヤル発信される（Ｓ１−６）。
【００５２】
一方、判定手段による判定の結果、入力乃至は選択された着信側電話番号の先頭の３桁が「０９０」であると判断された場合には、前述の番号作成手段３１３が実現し、該番号作成手段３１３によって入力乃至は選択された着信側電話番号の前に、メモリ内の空き領域に記憶した前述のプリセット番号を付加した合成番号が作成される（Ｓ１−５）。
【００５３】
このようにして合成番号が作成されると、作成された合成番号が前述のダイヤル発信手段によりダイヤル発信される（Ｓ１−６）。
【００５４】
（２）動作例２
上記の動作例１として説明した実施形態にあっては、プリセット番号として単一の番号のみを設定した場合を例として説明したが、以下に示す実施形態にあっては、更に、携帯電話機３０のメモリ３１ａにある空き領域に複数のプリセット番号を記憶させておき、入力乃至は選択された着信側電話番号の種別に応じて、前記複数のプリセット番号の中からこの種別に対応したプリセット番号を選択して付加した合成番号を作成させ、この作成された合成番号をダイヤル発信可能に構成したもので、一例として、携帯電話に対する電話番号と、一般加入電話に対する電話番号とで、それぞれ異なるプリセット番号を付加して出力すると共に、その他の番号、例えば「１１」で始まる警察、消防、海上保安庁等に対する緊急通報、「１１」又は「１０」で始まる番号案内、時報、天気予報などのＮＴＴ独自のサービス、「０７０」で始まるＰＨＳに対する発信、「０１２０」で始まるフリーダイヤル、「００」で始まる特定の通信事業者を指定したダイヤル等については、プリセット番号を付加することなくそのまま発信可能とした例である。
【００５５】
この例にあっては、前述のプリセット番号のそれぞれが着信側電話番号の種別との間に対応関係を持たせてメモリの所定の領域に記憶され、判定手段３１２による判定結果に従って、対応するプリセット番号を呼び出し可能に構成されている。
【００５６】
このように構成されたダイヤル発信の制御において、図５に示すように着信側電話番号の入力乃至は選択（Ｓ２−２）と共に、ダイヤル発信が指令されると（Ｓ２−３）、このダイヤル発信指令を受けた制御装置において前述の判定手段３１２が実現される点については、前述の動作例１における説明と同様である。
【００５７】
このようにして実現された判定手段３１２は、例えば入力乃至は選択された着信側電話番号の先頭から所定の桁数までの番号に基づいて、該入力乃至は選択された着信側電話番号の種別を判定する。
【００５８】
図示の例では、先ず、着信側電話番号の第１桁が、「０」か「１」かを判定し（Ｓ２−４）、「１」の場合には、この着信側電話番号に対しプリセット番号を付加することなくそのままダイヤル発信する。これにより、警察、消防、海上保安庁等に対する緊急通報や、番号案内、時報、天気予報等のＮＴＴ独自のサービスに対するダイヤルは、プリセット番号が付加されることなくダイヤル発信される（Ｓ２−８）。
【００５９】
着信側電話番号が「０」で始まる場合には、更にこの番号が携帯電話の番号であるか、一般加入電話に対する番号であるか、その他の番号であるかが判定される。
【００６０】
この判定方法としては、一例として、第１桁の番号が「０」で始まる場合には、更に第２桁が、「９」、「０」、「その他」のいずれの数字であるかを判定し（Ｓ２−５）、第２桁が「９」の場合には、更に第３桁が「０」であるか否かが判定され（Ｓ２−６）、第３桁が「０」、即ち、着信側電話番号が「０９０」で始まると携帯電話の番号と判定された場合には、この着信側電話番号に第１のプリセット番号「００ＸＹ」を付加した合成番号を作成し（Ｓ２−７）、このようにして作成された合成番号をダイヤル発信する（Ｓ２−８）。
【００６１】
一方、第３桁の数字が、０以外の数字である場合、すなわち、着信側電話番号が「０９Ｘ」（Ｘは１〜９の数字）であると判断された場合には、この着信側電話番号を一般加入電話の番号と判定し、この番号に第２のプリセット番号「００ＸＺ」を付加して合成番号を作成し（Ｓ２−９）、このようにして作成された合成番号がダイヤル発信される（Ｓ２−８）。
【００６２】
さらに、前述の第２桁の数字の判定（Ｓ２−５）において、第２桁の数が「０」である場合、すなわち、着信側電話番号が「００」で始まる場合には、この着信側電話番号に対しては第１、第２いずれのプリセット番号の付加も行わずに、この番号をそのままダイヤル発信する（Ｓ２−８）。
【００６３】
さらに、前述の第２桁の数字の判定（Ｓ２−５）において、第２桁の数が「９」又は「０」以外の数字である場合、更に、第３桁、第４桁の番号に基づいて、この番号中に含まれる一般加入電話以外の番号、例えばＰＨＳに対する「０７０」で始まる番号（Ｓ２−１０）、「０１２０」で始まるフリーダイヤル番号（Ｓ２−１１）であるか否かを判定し、ＰＨＳやフリーダイヤルに対する発信、その他一般加入電話以外の番号に対する発信である場合には、該着信側電話番号をそのままダイヤル発信（Ｓ２−８）し、その他の番号である場合には、これを一般の加入電話に対する番号と判定して、第２のプリセット番号である「００ＸＺ」を付加した合成番号を作成し（Ｓ２−９）、この合成番号をダイヤル発信する（Ｓ２−８）。
【００６４】
このように構成されたダイヤル発信制御方法によれば、例えば着信側電話番号の種別に応じて、例えば通信料金等の点で利用者に有利な第２種通信事業者を携帯電話機が自動で検索して、該通信事業者の提供する通信サービスを受けることが可能となる。
【００６５】
なお、前述の実施形態にあっては、プリセット番号として、第１、第２の二種類の番号のみを設定した例を示したが、判定手段により判定可能と成す着信側電話番号の種類の増加に伴い、これに伴ってさらにメモリに記憶するプリセット番号を増加しても良い。
【００６６】
〔ダイヤルから着信までの流れ〕
以上のように構成された本発明のダイヤル発信制御方法において、一例として図６における公−専−公接続から成る複合網５０による通信サービスの提供を行う第二種通信事業者が設置する電話交換機（発信側コールセンター７１）の番号を前述のプリセット番号とし設定した場合を例として説明する。
【００６７】
この場合において、発信側携帯電話機３０’の操作から、着信側電話機８１との間で接続が確立する迄の一連の動作は、下記の通りである。
【００６８】
前述の第二種通信事業者が提供する通信サービスの提供を受けようとする利用者は、先ず、発信側携帯電話機３０’の外部接続端子に、予め前記通信サービスを提供する通信事業者等より取得等した前述の外部接続装置１０を装着し、携帯電話機３０のメモリ３１ａに、必要なデータの書き込みを行っておく。
【００６９】
なお、このようにして携帯電話機３０のメモリ３１ａに対するデータの書き込みが完了した後は、この外部接続装置１０を携帯電話機３０より外し、以後は携帯電話機３０に対する外部接続装置１０の装着は行わない。
【００７０】
このように、メモリ３１ａに対して必要なデータの書き込みが完了した後携帯電話機３０’のキー操作により、着信側電話番号を入力し、又は、該携帯電話機３０に設けられている「アドレス帳」、「着信履歴」、「発信履歴」等から、メモリ内に予め記憶されている電話番号の中から選択した電話番号を着信側電話番号として選択し、送信キー３５の操作によりダイヤル発信を指令すると、前述のように携帯電話機３０’の制御装置３１は、ダイヤル発信手段３１１によりプリセット番号が付加された着信側電話番号（合成番号）のダイヤル発信を行う。
【００７１】
携帯電話機３０’よりダイヤル発信された番号には、前述のように特定の第二種通信事業者が設置した電話交換機（発信側コールセンター７１）に付与された番号がプリセット番号として付加されているために、この番号の送出を受けた移動体系事業者の回線網３２に設置された交換機（図示せず）は、付加されたプリセット番号からこのダイヤル発信が特定の第二種通信事業者の電話交換機を経由した通信サービスの対象であることを認識し、この携帯電話機３０’を、当該移動体系事業者の回線網６２、又は当該移動体系事業者の回線網６２に接続された図示せざる専用線等を介して、プリセット番号により特定された第二種通信事業者の電話交換機（発信側コールセンター７１）に接続する作業を行う。
【００７２】
このようにして、発信側携帯電話機３０’からのダイヤル発信を受けた電話交換機（発信側コールセンター７１）は、前述のプリセット番号に続く着信側電話番号に含まれるエリアコードに従って、専用線７２を介して当該エリアに存在する電話交換機（着信側コールセンター７３）との間での接続を確立し、着信側コールセンター７３は、このエリアコードに続く番号等に従って、一般公衆回線網８２、図示せざる移動体系事業者の回線網等を介して、着信側電話機８１を呼び出し、その後、この呼び出しに応えて、着信側電話機がオンフックとなると、発信側携帯電話機と着信側電話機間の回線が確保され、両者間における会話が可能となる。
【００７３】
このように、本発明のダイヤル発信方法を実行する携帯電話機３０’にあっては、着信側電話番号の入力が完了する迄、携帯電話機はダイヤル発信（図６の例では、発信側コールセンター７１の呼び出し）を行わないので、着信側電話番号の入力中に、携帯電話機３０’と電話交換機（発信側コールセンター７１）間の接続が確立する場合がなく、従って、着信側電話番号の入力中には如何なる通話料金も発生しない。
【００７４】
また、着信側電話番号の入力を中止した場合において、発信側携帯電話機３０’と発信側コールセンター７１間に、移動体系事業者の回線網６２における通話料金が発生するということもない。
【００７５】
さらに、携帯電話機３０’のダイヤル発信は、外部接続装置等を取り付けることなく、携帯電話機のみによって行うことが可能であるために、従来技術として説明したアタッチメントの装着による発信の場合に発生するおそれのあった、携帯電話機３０’の動作不良や不完全呼び等が発生することを防止することができるものとなっている。
【００７６】
さらに、プリセット番号に対するダイヤルを行う毎に、アタッチメント等の外部接続装置を接続する必要がないことから、外部接続装置を常に携帯等する必要がなく、また、外部接続装置の破損、故障、バッテリーの消耗等による影響を受けない。
【産業上の利用可能性】
【００７７】
以上説明した本発明の構成により、本発明は、「通信センター」、「コールセンター」、「アクセスポイント」等と呼ばれる、電話交換機等に付与された番号が、着信側電話番号の入力に先だって入力が要求される際の携帯電話機によるダイヤル発信に使用することができる。
【図面の簡単な説明】
【００７８】
【図１】携帯電話機及び外部接続装置の概略説明図。
【図２】携帯電話機及び外部接続装置の機能ブロック図。
【図３】携帯電話機の制御装置の機能ブロック図。
【図４】本発明の方法による制御時におけるダイヤル発信フロー。
【図５】本発明の方法による制御時における別のダイヤル発信フロー。
【図６】公−専−公接続から成る複合網。
【符号の説明】
【００７９】
１０  外部接続装置
１１  記憶手段（ＲＯＭ）
１２  コネクタ
１３  書き込み手段
３０，３０’  携帯電話機
３１  制御装置
３１ａ  メモリ
３１１  ダイヤル発信手段
３１２  判定手段
３１３  番号作成手段
３２１  送受信制御回路
３２４  音声入出力制御回路
３２５  キー入力制御回路
３２６  ディスプレイ制御回路
３２７  ＬＥＤ制御回路
３２８  着信音出力制御回路
３３  外部接続端子
３４  プッシュキー
３５  発信キー
３６  切断キー
３７  送話口
３７ａ  マイク
３８  受話口
３８ａ  スピーカー
３９  ディスプレイ
５０  複合網
６２  移動体系事業者の回線網
７１  発信側コールセンター（電話交換機）
７２  専用線
７３  着信側コールセンター
８１  着信側電話機
８２  一般公衆回線網
【図１】
2006135740.tif 000003
【図２】
2006135740.tif 000004
【図３】
2006135740.tif 000005
【図４】
2006135740.tif 000006
【図５】
2006135740.tif 000007
【図６】
2006135740.tif 000008